(57)【要約】      （修正有）【課題】家庭用の住宅において一般商用電源が停電になるなどの特に蓄電池を活用して、家庭での必要な電気機器、電気設備に電力を供給することが可能な配電システムを提供する。【解決手段】蓄電池からの電力供給と住宅の分電盤からの電力供給とを受け、前記蓄電池から供給された電力を電力消費機器に供給する複数個の蓄電池電力専用コンセント１ａ、１ｂ、１ｃ、１ｄ、３と、前記分電盤から供給された電力を前記電力消費機器に供給する複数個の通常電力専用コンセント５ａ、５ｂ、５ｃ、５ｄとを有する配電盤を備えている。【選択図】図１
0003207962.tif 000002
【実用新案登録請求の範囲】
【請求項１】
蓄電池からの電力供給と一般商用電源の分電盤からの電力供給とを受け、前記蓄電池から供給された電力を電力消費機器に供給する複数の蓄電池電力専用コンセントと、前記分電盤から供給された電力を前記電力消費機器に供給する複数の通常電力専用コンセントとを有する配電盤を備えている配電システム。
【請求項２】
前記蓄電池電力専用コンセントは、前記電力消費機器につながるプラグが前記住宅の停電時に差し込まれる複数の蓄電池電力専用コンセントである請求項１記載の配電システム。
【請求項３】
前記電力消費機器につながるプラグが前記住宅の停電時に差し込まれる複数の蓄電池電力専用コンセントに施されている彩色と、前記複数の通常電力専用コンセントに施されている彩色とが互いに異なる請求項２記載の配電システム。
【請求項４】
前記配電盤は入力線部を備えており、当該入力線部から伸びている複数本の入力線の先端に複数の前記電力消費機器にそれぞれつながる複数のプラグが配備されている請求項１乃至請求項３のいずれか一項に記載の配電システム。
【請求項５】
前記複数のプラグが前記複数本の入力線及び前記入力線部を介して電力供給する前記複数の電力消費機器による消費電力の合計が前記蓄電池の放電能力内である請求項４記載の配電システム。
【請求項６】
前記蓄電池電力専用コンセントは、更に、前記住宅が停電していないときに前記電力消費機器につながるプラグが差し込まれる少なくとも１個の蓄電池電力専用コンセントを備えている請求項２記載の配電システム。
【請求項７】
請求項１乃至請求項６のいずれか一項に記載の配電システムを備えた住宅。
【考案の詳細な説明】
【技術分野】
【０００１】
この考案は配電システムに関する。特に、家庭用の住宅において一般商用電源が停電になるなどのときに蓄電池を活用して家庭での必要な電気機器、電気設備に電力供給できる配電システムに関する。
【背景技術】
【０００２】
家庭用の住宅において一般商用電源が停電になるなどのときに蓄電池を活用して家庭での必要な電気機器、電気設備に電力供給する配電システムについては従来から提案が行われている。
【０００３】
例えば、特開２００８−３１２３９５号公報（特許文献１）には、電気自動車や、プラグインハイブリッドカーが搭載しているバッテリーを利用して、一般商用電源が停電になるときに蓄電池を活用して家庭での必要な電気機器、電気設備に電力を供給する配電システムが提案されている。
【先行技術文献】
【特許文献】
【０００４】
【特許文献１】特開２００８−３１２３９５号公報
【考案の概要】
【考案が解決しようとする課題】
【０００５】
この考案は、家庭用の住宅において一般商用電源が停電になるなどのときに蓄電池を活用して家庭での必要な電気機器、電気設備に電力供給することが可能な配電システムを提案することを目的にしている。
【課題を解決するための手段】
【０００６】
［１］
蓄電池からの電力供給と一般商用電源の分電盤からの電力供給とを受け、前記蓄電池から供給された電力を電力消費機器に供給する複数の蓄電池電力専用コンセントと、前記分電盤から供給された電力を前記電力消費機器に供給する複数の通常電力専用コンセントとを有する配電盤を備えている配電システム。
【０００７】
［２］
前記蓄電池電力専用コンセントは、前記電力消費機器につながるプラグが前記住宅の停電時に差し込まれる複数の蓄電池電力専用コンセントである［１］の配電システム。
【０００８】
［３］
前記電力消費機器につながるプラグが前記住宅の停電時に差し込まれる複数の蓄電池電力専用コンセントに施されている彩色と、前記複数の通常電力専用コンセントに施されている彩色とが互いに異なる［２］の配電システム。
【０００９】
［４］
前記配電盤は入力線部を備えており、当該入力線部から伸びている複数本の入力線の先端に複数の前記電力消費機器にそれぞれつながる複数のプラグが配備されている［１］乃至［３］のいずれかの配電システム。
【００１０】
［５］
前記複数のプラグが前記複数本の入力線及び前記入力線部を介して電力供給する前記複数の電力消費機器による消費電力の合計が前記蓄電池の放電能力内である［４］の配電システム。
【００１１】
［６］
前記蓄電池電力専用コンセントは、更に、前記住宅が停電していないときに前記電力消費機器につながるプラグが差し込まれる少なくとも１個の蓄電池電力専用コンセントを備えている［２］の配電システム。
【００１２】
［７］
［１］乃至［６］のいずれかの配電システムを備えた住宅。
【考案の効果】
【００１３】
この考案によれば、家庭用の住宅において一般商用電源が停電になるなどのとき蓄電池を活用して家庭での必要な電気機器、電気設備に電力供給することが可能な配電システムを提供することができる。
【図面の簡単な説明】
【００１４】
【図１】本考案の一実施形態に係る配電盤の一例を説明する正面図。
【図２】本考案の一実施形態に係る配電盤から電力消費機器に電力が供給すれる状態の一例を説明する図であって、（ａ）は一般商用電源の分電盤から供給された電力が家庭内の電力消費機器に供給される状態を説明する概念図、（ｂ）は蓄電池から供給された電力が家庭内の電力消費機器に供給される状態を説明する概念図。
【図３】本考案の一実施形態に係る配電システムで通常時の電力供給が行われている状態の一例を説明する概念図。
【図４】本考案の一実施形態に係る配電システムで停電時に電力供給が行われている状態の一例を説明する概念図。
【考案を実施するための形態】
【００１５】
家庭用の住宅に本考案の配電システムが配備されている場合でこの実施形態の配電システムを説明する。
【００１６】
この実施形態の配電システムは、蓄電池からの電力供給と、一般商用電源の分電盤からの電力供給とを受ける配電盤を備えている。
【００１７】
この配電盤は、図１に示されているように、複数の蓄電池電力専用コンセント１ａ、１ｂ、１ｃ、１ｄと、複数の通常電力専用コンセント２ａ、２ｂ、２ｃ、２ｄとを備えている。なお、本明細書において、蓄電池電力専用コンセントを総称して「蓄電池電力専用コンセント１」と表すことがあり、通常電力専用コンセントを総称して「通常電力専用コンセント２」と表すことがある。
【００１８】
蓄電池電力専用コンセント１は、蓄電池から供給された電力を電力消費機器に供給し、通常電力専用コンセント２は、一般商用電源の分電盤から供給された電力を電力消費機器に供給する。
【００１９】
電力消費機器には、例えば、各部屋の照明機器、空気清浄器、エアーコンディショナー、送風機（サーキュレーター）、テレビ、冷蔵庫、電子レンジ、電気湯沸かし器、食器洗浄機、ホットプレート、たこ焼き器、洗濯機、乾燥機、乾燥機付き洗濯機、ヘアドライヤー、電気カーペット、こたつ、電機毛布、等、家庭において電力によって作動、稼働する種々の電機機械器具・装置が含まれる。また、住宅内の各部屋に備え付けられている電源コンセントも当該電源コンセントに前記電力消費機器につながるプラグが差し込まれることで前記電力消費機器への電力供給が可能になるので本明細書において電力消費機器に包含される。
【００２０】
上述した蓄電池電力専用コンセント１ａ、１ｂ、１ｃ、１ｄは、この実施形態では電力消費機器につながるプラグが住宅の停電時などに差し込まれる蓄電池電力専用コンセントになっている。
【００２１】
図１図示のこの実施形態の配電盤は、入力線部４を備えており、入力線部４から伸びている複数本の入力線の先端に複数の電力消費機器にそれぞれつながる複数のプラグ５ａ、５ｂ、５ｃ、５ｄが配備されている。
【００２２】
例えば、プラグ５ａを蓄電池電力専用コンセント１あるいは、通常電力専用コンセント２に差し込むことで所定の電力消費機器（例えば、冷蔵庫８）への電力供給が可能になる。
【００２３】
プラグ５ｂを蓄電池電力専用コンセント１あるいは、通常電力専用コンセント２に差し込むことで所定の部屋（例えば、主寝室）に備え付けられている電源コンセント９に対して電力供給が可能になる。
【００２４】
プラグ５ｃを蓄電池電力専用コンセント１あるいは、通常電力専用コンセント２に差し込むことで所定の部屋（例えば、リビング）に備え付けられている所定の電力消費機器（例えば、マイナスイオン発生器、等の空気清浄機器）１２に対して電力供給が可能になる。
【００２５】
プラグ５ｄを蓄電池電力専用コンセント１あるいは、通常電力専用コンセント２に差し込むことで所定の電力消費機器（例えば、所定の部屋であるリビングに備え付けられている照明機器１１）と、当該リビングに備え付けられている、テレビにつながるプラグが差し込まれるコンセント１０への電力供給が可能になる。
【００２６】
一般商用電源の分電盤から１００Ｖの電力が配電盤に供給される通常の状態では、図３図示のように、プラグ５ａを通常電力専用コンセント２ｃに差し込んで冷蔵庫８への電力供給を行い、プラグ５ｂを通常電力専用コンセント２ｄに差し込んで主寝室に備え付けられている電源コンセント９に対する電力供給を行うことができる。
【００２７】
一方、一般商用電源の分電盤から１００Ｖの電力が配電盤に供給される通常の状態であっても、配電盤に対して蓄電池７からも電力供給を行って、蓄電池電力専用コンセント１を介して、蓄電池７から供給された電力を電力消費機器に供給することができる。
【００２８】
例えば、一般商用電源の分電盤から１００Ｖの電力が配電盤に供給される通常の状態であっても、図３図示のように、蓄電池電力専用コンセント１ａにプラグ５ｄを差し込んで、リビングに備え付けられている照明機器１１と、リビングに備え付けられているテレビにつながるプラグが差し込まれるコンセント１０への電力供給を行うことができる。
【００２９】
また、同様に、蓄電池電力専用コンセント１ｂにプラグ５ｃを差し込んで、リビングに備え付けられているマイナスイオン発生器１２に対して電力供給を行うことができる。
【００３０】
図３図示の状態であったものが、停電により一般商用電源の分電盤からの電力供給ができなくなった場合には、図４図示のように、プラグ５ａを通常電力専用コンセント２ｃから引き抜き、蓄電池電力専用コンセント１ｄに差し込むことで、停電状態になっても引き続き冷蔵庫８への電力供給が可能になる。
【００３１】
また、図４図示のように、プラグ５ｂを通常電力専用コンセント２ｄから引き抜き、蓄電池電力専用コンセント１ｃに差し込むことで、停電状態になっても引き続き主寝室に備え付けられている電源コンセント９に対して電力供給が可能になる。
【００３２】
蓄電池７には放電能力の上限制限があるが、複数のプラグ５ａ、５ｂ、５ｃ、５ｄが複数本の入力線及び入力線部４を介して電力供給する複数の電力消費機器による消費電力の合計が蓄電池７の放電能力内におさまっているならば、停電時に、安心して、上述したようなプラグ５ａ、５ｂの差し替えを行って、停電状態になっても、引き続き、所定の電力消費機器に対する電力供給を継続することができる。
【００３３】
この実施形態の配電システムが設置されている住宅を使用する者は、停電になって一般商用電源の分電盤からの電力供給がなくなった時に、蓄電池７からの電力供給によって、停電中であっても、引き続き利用可能にしておきたい複数の電力消費機器を、それらによる消費電力の合計が蓄電池７の放電能力を越えない範囲になるようにして選定する。
【００３４】
そして、停電中であっても引き続き利用可能にしておく必要性の高さに応じて選定した電力消費機器を区分し、例えば、プラグ５ａは最も必要性の高い電力消費機器に電力を供給し、プラグ５ｂはその次に必要性の高い電力消費機器に電力を供給し、プラグ５ｃはその次に必要性の高い電力消費機器に電力を供給し、プラグ５ｄはその次に必要性の高い電力消費機器に電力を供給するように設定しておく。
【００３５】
これにより、例えば、停電になった直後には、プラグ５ａ、５ｂ、５ｃ、５ｄのいずれをも蓄電池電力専用コンセント１に差し込んで、前記のように選定していた複数の電力消費機器の全てに電力供給するが、停電時間が長くなってきたならば、順次、プラグ５ｄを引き抜く、次に、プラグ５ｃを引き抜く、等して、使用する電力量を調整することが可能になる。
【００３６】
また、最も必要性の高い電力消機器に電力供給するプラグ５ａのみを蓄電池電力専用コンセント１に差し込んで電力供給を行い、プラグ５ｂ、５ｃ、５ｄを介して電力供給する電力消機器に対しては、電力供給する必要が生じたときにのみ、プラグ５ｂ、５ｃ、５ｄの中から必要なプラグを選定して、選択的に、必要なときのみ、必要な電力消機器を利用するようにもできる。
【００３７】
冷蔵庫のように消費電力が高めであるが、停電時であっても引き続き利用可能にしておきたい電力消費機器の場合には、上述したように、通常は、通常電力専用コンセント２にプラグ５ａを差し込んでおき、停電時には、一時的に、蓄電池電力専用コンセント１にプラグ５ａを差し込んで、停電時であっても引き続き利用可能にすることができる。
【００３８】
このようにすれば、万が一、過電流などによって蓄電池７のブレーカーが作動してしまった場合であっても、差し替え動作を行う居住者が居ることで、ブレーカーの作動に気づき、復旧を行うことが可能になる。
【００３９】
なお、この実施形態の配電システムが配備されている住宅の屋根に太陽光発電機器６などを設置し、再生可能エネルギーを利用して住宅に備え付けられている蓄電器７を充電する形態にすることもできる。
【００４０】
図１図示の実施形態の配電盤では、更に、住宅が停電していないときに電力消費機器につながるプラグが差し込まれる１個の蓄電池電力専用コンセント３が配備されている。
【００４１】
プラグ５ａ、５ｂ、５ｃ、５ｄを上述したように、停電になって分電盤からの電力供給がなくなった時に、蓄電池７からの電力供給によって、停電中であっても、引き続き利用可能にしておきたい、あらかじめ選定されている複数の電力消費機器に対して電力供給を行うものにしておく場合、あらかじめ選定されている複数の電力消費機器以外の電力消費機器に対する電力供給を行うコンセントとして蓄電池電力専用コンセント３を利用することができる。
【００４２】
この実施形態で、電力消費機器につながるプラグ５ａ、５ｂ、５ｃ、５ｄが住宅の停電時に差し込まれる複数個の蓄電池電力専用コンセント１に施されている彩色と、複数個の通常電力専用コンセント２に施されている彩色とが互いに異なるようにしておけば、認識、識別が容易になる。
【００４３】
以上、添付図面を参照してこの考案の実施形態を説明したが、本考案は上述した実施形態に限定されるものではなく実用新案登録請求の範囲の記載から把握される技術的範囲において種々に変更可能である。
【符号の説明】
【００４４】
１、１ａ、１ｂ、１ｃ、１ｄ  蓄電池電力専用コンセント
２、２ａ、２ｂ、２ｃ、２ｄ  通常電力専用コンセント
５ａ、５ｂ、５ｃ、５ｄ  プラグ
６    太陽光発電機器
７    蓄電器
８    冷蔵庫
９    主寝室に備え付けられている電源コンセント
１２  リビングに備え付けられているマイナスイオン発生器
１１  リビングに備え付けられている照明機器
１０  テレビにつながるプラグが差し込まれるコンセント
【図１】
0003207962.tif 000003
【図２】
0003207962.tif 000004
【図３】
0003207962.tif 000005
【図４】
0003207962.tif 000006
【手続補正書】
【提出日】平成28年10月11日(2016.10.11)
【手続補正１】
【補正対象書類名】実用新案登録請求の範囲
【補正対象項目名】全文
【補正方法】変更
【補正の内容】
【実用新案登録請求の範囲】
【請求項１】
蓄電池からの電力供給と一般商用電源の分電盤からの電力供給とを受け、前記蓄電池から供給された電力を電力消費機器に供給する複数の蓄電池電力専用コンセントと、前記分電盤から供給された電力を前記電力消費機器に供給する複数の通常電力専用コンセントとを有する配電盤を備えている配電システム。
【請求項２】
前記蓄電池電力専用コンセントは、前記電力消費機器につながるプラグが住宅の停電時に差し込まれる複数の蓄電池電力専用コンセントである請求項１記載の配電システム。
【請求項３】
前記電力消費機器につながるプラグが前記住宅の停電時に差し込まれる複数の蓄電池電力専用コンセントに施されている彩色と、前記複数の通常電力専用コンセントに施されている彩色とが互いに異なる請求項２記載の配電システム。
【請求項４】
前記配電盤は入力線部を備えており、当該入力線部から伸びている複数本の入力線の先端に複数の前記電力消費機器にそれぞれつながる複数のプラグが配備されている請求項１乃至請求項３のいずれか一項に記載の配電システム。
【請求項５】
前記複数のプラグが前記複数本の入力線及び前記入力線部を介して電力供給する前記複数の電力消費機器による消費電力の合計が前記蓄電池の放電能力内である請求項４記載の配電システム。
【請求項６】
前記蓄電池電力専用コンセントは、更に、前記住宅が停電していないときに前記電力消費機器につながるプラグが差し込まれる少なくとも１個の蓄電池電力専用コンセントを備えている請求項２記載の配電システム。
【請求項７】
請求項１乃至請求項６のいずれか一項に記載の配電システムを備えた住宅。